【手続補正書】
【提出日】平成21年2月5日(2009.2.5)
【手続補正１】
【補正対象書類名】明細書
【補正対象項目名】００２４
【補正方法】変更
【補正の内容】
【００２４】
図３において、ソフトフォンシステム１０００は、ＩＰネットワーク７７０−１に接続されたＴＣサーバ１１０とテレフォニーサーバ８００と電話端末８０１と、ＩＰネットワーク７７０−２に接続されたＴＣ端末１２０と、ＩＰネットワーク７７０−１とＩＰネットワーク７７０−２とを接続するＷＡＮ７８０とから構成される。また、ＴＣサーバ１１０とＴＣ端末１２０には、ハンドセット８１１が接続されている。
【手続補正２】
【補正対象書類名】明細書
【補正対象項目名】００３４
【補正方法】変更
【補正の内容】
【００３４】
図６Ａにおいて、ＰＣ利用者がソフトフォン１を起動させることより、ソフトフォン１は、処理を開始し、ステップ２０１において、共通処理部４０を起動する。共通処理部４０は、音声デバイスの接続有無確認、テレフォニーサーバ８００へのレジスト処理、アプリケーションを終了させる際に各処理部に終了処理の開始を通知させるための終了フラグのリセット処理（終了フラグ領域５００に「０」を書き込む）などを実施する。次にステップ２０２において、ソフトフォン１は、リモコン判定処理部１０を起動する。リモコン判定処理部１０は、ＴＣシステムにおけるＴＣ端末の接続有無を判定し、判定結果に合わせたソフトフォンモジュールを起動させる。なお、リモコン判定処理部１０については、図７にてその動作フローなどを詳細に説明する。ステップ２０３において、ソフトフォン１は、呼制御部５０を起動する。呼制御部５０は、ソフトフォン１における発呼・着呼・通話維持などの処理をテレフォニーサーバ８００との間で行うものである。以上の処理によりソフトフォン１は、発呼、着呼、通話などの電話機能処理を行える状態へ遷移する。
【手続補正３】
【補正対象書類名】明細書
【補正対象項目名】００３５
【補正方法】変更
【補正の内容】
【００３５】
図６Ｂにおいて、ＰＣ利用者がソフトフォン１の終了操作を行った場合に、ソフトフォン１は、処理を開始する。ステップ２１１において、ソフトフォン１は、共通処理部４０を終了させる処理を実行する。この時、共通処理部４０はテレフォニーサーバ８００へのアンレジスト処理を実施し、記憶装置７２５に確保されている終了フラグ領域５００に「１」を書き込み、自身の処理を終える。次にステップ２１２において、ソフトフォン１は、呼制御部５０を終了させる処理を実行する。この時、呼制御部５０は終了フラグ領域４００に立てられた「１」のフラグを判定して自らの終了処理を行う。そしてステップ２１３において、ソフトフォン１は、リモコン判定処理部１０を終了させる処理を実行する。この時、リモコン判定処理部１０は、終了フラグ領域５００に立てられた「１」のフラグを判定して起動していたモジュールを終了させた後、自身の終了処理を行い、本フローを終える。
【手続補正４】
【補正対象書類名】明細書
【補正対象項目名】００３９
【補正方法】変更
【補正の内容】
【００３９】
さらに、ステップ３１０において終了フラグ領域５００が「１」の場合（Ｓ３１０；Ｙｅｓ）は、ステップ３１１で起動されている通常版モジュール２０またはＴＣ版モジュール３０を終了させ、終わる。ステップ３１０以降の処理は、図６Ｂのステップ２１２における処理を表す。図６Ｂのステップ２１１において、共通処理部４０が終了フラグ領域５００に「１」を書き込んだことにより、ステップ３１１の処理が開始される。
【手続補正５】
【補正対象書類名】明細書
【補正対象項目名】００４３
【補正方法】変更
【補正の内容】
【００４３】
図９を参照して、図８の動作を呼制御シーケンスの視点から説明する。ここで、図９はＴＣサーバ、テレフォニーサーバ、電話端末間の呼制御のシーケンス図である。図９において、まず初めに、ＴＣサーバ１１０において、ユーザがソフトフォン１を起動すると、共通処理部４０は、テレフォニーサーバ８００へ対し自身の内線番号とＩＰアドレスを通知する（Ｔ５０１）。テレフォニーサーバ８００は、受信した内線番号とＩＰアドレスとを組にして、ＩＰアドレス一覧テーブル８１０に書き込む（レジスト処理、Ｔ５０２）。リモコン判定処理部１０は、ＴＣ端末の接続有無を判定する（Ｔ５０３）。本シーケンスではこの段階でＴＣ端末の接続がないので、通常版モジュールが起動される（Ｔ５０４）。
【手続補正６】
【補正対象書類名】明細書
【補正対象項目名】００４４
【補正方法】変更
【補正の内容】
【００４４】
ここで、電話端末８０１のユーザが相手先電話番号「３０００番」をダイヤルしたとする。電話端末８０１は、接続先電話番号「３０００番」をパラメータとした呼接続要求情報を、テレフォニーサーバ８００に送信する（Ｔ５０５）。テレフォニーサーバ８００は、呼接続要求情報を受信すると、ＩＰアドレス一覧テーブル８１０を参照して、呼接続先ＩＰアドレス７３０「１９２．１６８．１１．１」を特定し、該当該ＩＰアドレス宛に、通話先ＩＰアドレス８４２をパラメータとする呼接続要求情報を送信する（Ｔ５０６）。テレフォニーサーバ８００は、また電話端末には呼出中であることを示す情報を送信する（Ｔ５０７）。その情報を受け取った電話端末８０１は、呼出音を鳴らし呼出中であることを利用者へ知らせる（Ｔ５０８）。一方、ＴＣサーバ１１０は、着信情報を受信すると着信音を鳴らし（Ｔ５０９）、音声パケット通信部２２にパラメータ中の通話先ＩＰアドレス８４２を通知する（Ｔ５１１）。ＴＣサーバ１１０のユーザによるハンドセットの通話ボタン操作により通話可能な状態になると、ＴＣサーバ１１０は、通話先ＩＰアドレスとして自身のＩＰアドレス７３０をパラメータに設定し、通話ＯＫをテレフォニーサーバ８００に送信する（Ｔ５１２）。テレフォニーサーバ８００は、通話ＯＫを受信すると電話端末８０１にパラメータを含めた通話ＯＫを送信する（Ｔ５１３）。電話端末８０１は、通話ＯＫを受信するとパラメータ内の通話先ＩＰアドレス７３０を取得し（Ｔ５１４）、これを音声パケット送信宛先に設定して音声パケットの送信を開始し、同時に相手方から来るパケットの受信を開始する。一方、ＴＣサーバ１１０は、通話可能な状態になると通知された通話先ＩＰアドレス８４２を音声パケット送信宛先に設定して音声パケットの送信を開始し、同時に相手方から来るパケットの受信を開始する。これにより、ＴＣサーバ１１０と電話端末８０１が直接通話できる。通話を終了する時は、電話端末８０１のユーザが受話器を置くと、電話端末８０１は、終了情報をテレフォニーサーバ８１０に送信する（Ｔ５１６）。終了情報を受信したテレフォニーサーバ８００は、終了情報をＴＣサーバ１１０に送信する（Ｔ５１７）。ＴＣサーバ１１０は、切断処理を実施し（Ｔ５１８）、ＯＫ通知をテレフォニーサーバ８００に送信する（Ｔ５１９）。ＯＫ通知を受信したテレフォニーサーバ８００は、ＯＫ通知を電話端末８０１に転送する（Ｔ５２１）。電話端末８０１は、切断処理を実施し（Ｔ５２２）、一連の通話処理を終える。
【手続補正７】
【補正対象書類名】明細書
【補正対象項目名】００４８
【補正方法】変更
【補正の内容】
【００４８】
この状態で、電話端末８０１のユーザが相手先電話番号「３０００番」をダイヤルすると、電話端末８０１は、接続先電話番号「３０００番」をパラメータとした呼接続要求情報を、テレフォニーサーバに送信する（Ｔ５４１）。テレフォニーサーバ８００は、呼接続要求情報を受信すると、ＩＰアドレス一覧テーブル８１０を参照して呼接続先ＩＰアドレス７３０「１９２．１６８．１１．１」を特定し、このＩＰアドレス宛に、通話先ＩＰアドレス８４２をパラメータとする呼接続要求情報を送信する（Ｔ５４２）。またテレフォニーサーバ８００は、電話端末８０１には呼出中であることを示す情報を送信する（Ｔ５４３）。電話端末８０１は、呼出音を鳴らし（Ｔ５４６）、呼び出し中であることを利用者に知らせる。一方、接続要求情報を受信したＴＣサーバ１１０は、着信の通知とパラメータに設定された通話先ＩＰアドレス８４２を、ＴＣ端末１２０に通知する（Ｔ５４４）。ＴＣ端末１２０は、着信情報を受信すると着信音を鳴らす（Ｔ５４７）。ＴＣ端末１２０の音声パケット通信部１２４は、パラメータ中の通話先ＩＰアドレス８４２を取得する（Ｔ５４８）。
【手続補正８】
【補正対象書類名】図面
【補正対象項目名】図３
【補正方法】変更
【補正の内容】
【図３】
2008153774.tif 000001
【手続補正９】
【補正対象書類名】図面
【補正対象項目名】図７
【補正方法】変更
【補正の内容】
【図７】
2008153774.tif 000002